(57)【特許請求の範囲】
【請求項１】
被挟持体を載置する載置面を有する台板と、
一方側部分に挟持部が形成され、他方側部分に開用押圧部が形成され、前記挟持部が前記台板に対して開閉できるように中間部分の枢結部により前記台板の載置面側に回動可能に支持される挟持部材と、
前記挟持部材の前記挟持部を前記台板側に付勢する付勢部材とを含み、
前記台板は、前記挟持部材に形成された枢結部を、挟持部側により開用押圧部側に向けて相対移動させて連結するための移動可能部を、前記台板の載置面より低く凹設され、
前記付勢部材は、台板より上方に突き出た領域を構成する付勢部を、挟持部材を台板に固定する側においては、挟持部材の開用押圧部側の方が高く台板より上方に突き出され、且つ付勢部の端より突き出た固定部を、挟持部材の挟持部側にて低い位置において台板に固定され、
前記台板の移動可能部は、付勢部材の台板より上方に突き出た付勢部を台板に向けて押し下げて且つ挟持部材を挟持部側より開用押圧部側に向けて相対移動させて連結するために、挟持部側に向けて、枢結部を通過させるための開口部を凹設された、紙挟み。
【請求項２】
被挟持体を載置する載置面を有する台板と、
一方側部分に挟持部が形成され、他方側部分に開用押圧部が形成され、前記挟持部が前記台板に対して開閉できるように中間部分の枢結部により前記台板の載置面側に回動可能に支持される挟持部材と、
前記挟持部材の前記挟持部を前記台板側に付勢する付勢部材とを含み、
前記台板及び／又は挟持部材は、前記台板及び／又は挟持部材に形成された枢結部を、相対移動させて連結するための移動可能部を、前記台板の載置面より低く凹設され、
前記移動可能部は、付勢部材の台板より上方に突き出た領域を台板に向けて押し下げて且つ付勢部材の前記突き出た領域より下方の領域に向けて台板及び挟持部材を相対移動させて連結するために、枢結部を通過させるための開口部を凹設され、
前記挟持部材は、挟持部材を付勢する付勢部に対応した付勢部材固定凹部を形成され、
前記付勢部材固定凹部は、
付勢部材の付勢部の上昇角度に対応して、前記相対移動の始点側から終点側に向けて徐々に深くなるように形成された、紙挟み。
【請求項３】
前記付勢部材は、台板より上方に突き出た領域において付勢部を構成する屈曲又はわん曲部と、前記屈曲又はわん曲部の両端に延設された固定部とを備えた弾力性を有する線材により構成され、
固定部は、前記相対移動の終点側において台板に形成された、付勢部材用支持部により固定され、
前記付勢部材用支持部は、挟持部材及び／又は台板を相対移動させるときに付勢部材の移動を阻止するように形成された、請求項１又は請求項２に記載の紙挟み。
【請求項４】
前記挟持部材は、台板の枢軸部を枢支するための枢結部を構成する軸受部を裏面側に形成され、
前記台板は、載置面より低い位置に形成された枢軸部を有する枢結部を形成され、
挟持部材の裏面に設けられた軸受部を通過させて、軸受部を枢軸部の下方に位置させて連結するための、前記台板の載置面より低く形成された第１開口部を有する移動可能部を形成され、
前記挟持部材の軸受部は、前記台板の移動可能部に対応して、前記台板の第１開口部から枢軸部の下方に位置させて、枢軸部に連結されるように、前記台板の枢軸部を通過させるための第２開口部を形成された、請求項１ないし請求項３のいずれかに記載の紙挟み。
【請求項５】
前記台板は、載置面より低い位置に形成された断面円形の枢軸部を有する枢結部を形成され、且つ前記挟持部材は、枢結部を構成する、前記台板の枢軸部に対応する断面半円弧状の軸受部を下面に突設され、
前記台板は、前記枢軸部の下方に、挟持部材の前記軸受部を収容するための断面半円弧状の間隙を形成され、
前記間隙は、移動可能部に続いて、前記台板の載置面より低く凹設された、請求項１ないし請求項４のいずれかに記載の紙挟み。
【発明の詳細な説明】
【技術分野】
【０００１】
この発明は紙挟みに関し、特に台板に挟持部材が設けられ、たとえば書類などを台板と挟持部材とで挟持することができる紙挟みに関する。
【背景技術】
【０００２】
この発明の背景となる従来の紙挟みの一例が、たとえば特開２００４−２９９３５５号公報に開示されている。
この紙挟みは、台板と、一方側部分に挟持部が形成され、他方側部分に開用押圧部が形成され、前記挟持部が前記台板に対して開閉できるように中間部分が前記台板に回動可能に支持される挟持部材と、前記挟持部材の前記挟持部を前記台板側に付勢する付勢部材と、前記台板に対して前記挟持部材の前記挟持部を開いた状態で維持するための係止部材とを含み、前記係止部材は、前記挟持部材の前記一方側部分および前記中間部分の間の部分で回動可能に支持され、前記挟持部材の前記開用押圧部側に配置される係止用押圧部、前記挟持部材の前記挟持部側に配置される解除用押圧部、および前記台板側に配置される係止部を含み、前記挟持部材の前記開用押圧部を押圧して前記台板に対して前記挟持部材の前記挟持部を前記付勢部材の付勢力に抗して開いた状態で前記係止部材の前記係止用押圧部を押圧して前記係止部材の前記係止部を前記台板の当接部に当てることによって、前記台板に対して前記挟持部材の前記挟持部を開いた状態で維持するように形成され、前記係止部材の前記解除用押圧部を押圧して前記係止部材の前記係止部を前記台板の前記当接部から外すことによって、前記台板に対して前記挟持部材の前記挟持部を前記付勢部材の付勢力で閉じるように形成されている。
【先行技術文献】
【特許文献】
【０００３】
【特許文献１】特開２００２−１９３５５号公報
【発明の概要】
【発明が解決しようとする課題】
【０００４】
ところが、このような従来の紙挟みは、その厚みが厚く、複数個を積み重ねて保管するときに嵩張る。
又、その組み立てにも、手数がかかる構造となっている。
【０００５】
それゆえに、この発明の主たる目的は、組み立てが容易で、その厚みが薄い、紙挟みを提供することである。
【課題を解決するための手段】
【０００６】
請求項１の発明にかかる紙挟みは、被挟持体を載置する載置面を有する台板と、一方側部分に挟持部が形成され、他方側部分に開用押圧部が形成され、前記挟持部が前記台板に対して開閉できるように中間部分の枢結部により前記台板の載置面側に回動可能に支持される挟持部材と、前記挟持部材の前記挟持部を前記台板側に付勢する付勢部材とを含み、前記台板は、前記挟持部材に形成された枢結部を、挟持部側により開用押圧部側に向けて相対移動させて連結するための移動可能部を、前記台板の載置面より低く凹設され、前記付勢部材は、台板より上方に突き出た領域を構成する付勢部を、挟持部材を台板に固定する側においては、挟持部材の開用押圧部側の方が高く台板より上方に突き出され、且つ付勢部の端より突き出た固定部を、挟持部材の挟持部側にて低い位置において台板に固定され、前記台板の移動可能部は、付勢部材の台板より上方に突き出た付勢部を台板に向けて押し下げて且つ挟持部材を挟持部側より開用押圧部側に向けて相対移動させて連結するために、挟持部側に向けて、枢結部を通過させるための開口部を凹設された、紙挟みである。
この発明の請求項２にかかる紙挟みは、被挟持体を載置する載置面を有する台板と、一方側部分に挟持部が形成され、他方側部分に開用押圧部が形成され、前記挟持部が前記台板に対して開閉できるように中間部分の枢結部により前記台板の載置面側に回動可能に支持される挟持部材と、前記挟持部材の前記挟持部を前記台板側に付勢する付勢部材とを含み、前記台板及び／又は挟持部材は、前記台板及び／又は挟持部材に形成された枢結部を、相対移動させて連結するための移動可能部を、前記台板の載置面より低く凹設され、前記移動可能部は、付勢部材の台板より上方に突き出た領域を台板に向けて押し下げて且つ付勢部材の前記突き出た領域より下方の領域に向けて台板及び挟持部材を相対移動させて連結するために、枢結部を通過させるための開口部を凹設され、前記挟持部材は、挟持部材を付勢する付勢部に対応した付勢部材固定凹部を形成され、前記付勢部材固定凹部は、付勢部材の付勢部の上昇角度に対応して、前記相対移動の始点側から終点側に向けて徐々に深くなるように形成された、紙挟みである。
この発明の請求項３にかかる紙挟みにおいては、前記付勢部材は、台板より上方に突き出た領域において付勢部を構成する屈曲又はわん曲部と、前記屈曲又はわん曲部の両端に延設された固定部とを備えた弾力性を有する線材により構成され、固定部は、前記相対移動の終点側において台板に形成された、付勢部材用支持部により固定され、前記付勢部材用支持部は、挟持部材及び／又は台板を相対移動させるときに付勢部材の移動を阻止するように形成された、請求項１又は請求項２に記載の紙挟みである。
この発明の請求項４にかかる紙挟みにおいては、前記挟持部材は、台板の枢軸部を枢支するための枢結部を構成する軸受部を裏面側に形成され、前記台板は、載置面より低い位置に形成された枢軸部を有する枢結部を形成され、挟持部材の裏面に設けられた軸受部を通過させて、軸受部を枢軸部の下方に位置させて連結するための、前記台板の載置面より低く形成された第１開口部を有する移動可能部を形成され、前記挟持部材の軸受部は、前記台板の移動可能部に対応して、前記台板の第１開口部から枢軸部の下方に位置させて、枢軸部に連結されるように、前記台板の枢軸部を通過させるための第２開口部を形成された、請求項１ないし請求項３のいずれかに記載の紙挟みである。
この発明の請求項５にかかる紙挟みにおいては、前記台板は、載置面より低い位置に形成された断面円形の枢軸部を有する枢結部を形成され、且つ前記挟持部材は、枢結部を構成する、前記台板の枢軸部に対応する断面半円弧状の軸受部を下面に突設され、前記台板は、前記枢軸部の下方に、挟持部材の前記軸受部を収容するための断面半円弧状の間隙を形成され、前記間隙は、移動可能部に続いて、前記台板の載置面より低く凹設された、請求項１ないし請求項４のいずれかに記載の紙挟みである。
【発明の効果】
【０００７】
請求項１の発明によれば、被挟持体を載置する載置面を有する台板と、一方側部分に挟持部が形成され、他方側部分に開用押圧部が形成され、前記挟持部が前記台板に対して開閉できるように中間部分の枢結部により前記台板の載置面側に回動可能に支持される挟持部材と、前記挟持部材の前記挟持部を前記台板側に付勢する付勢部材とを含み、前記台板は、前記挟持部材に形成された枢結部を、挟持部側により開用押圧部側に向けて相対移動させて連結するための移動可能部を、前記台板の載置面より低く凹設され、前記付勢部材は、台板より上方に突き出た領域を構成する付勢部を、挟持部材を台板に固定する側においては、挟持部材の開用押圧部側の方が高く台板より上方に突き出され、且つ付勢部の端より突き出た固定部を、挟持部材の挟持部側にて低い位置において台板に固定され、前記台板の移動可能部は、付勢部材の台板より上方に突き出た付勢部を台板に向けて押し下げて且つ挟持部材を挟持部側より開用押圧部側に向けて相対移動させて連結するために、挟持部側に向けて、枢結部を通過させるための開口部を凹設されているので、組み立てが容易で、その厚みが薄い、紙挟みを提供することができる。
請求項２の発明によれば、被挟持体を載置する載置面を有する台板と、一方側部分に挟持部が形成され、他方側部分に開用押圧部が形成され、前記挟持部が前記台板に対して開閉できるように中間部分の枢結部により前記台板の載置面側に回動可能に支持される挟持部材と、前記挟持部材の前記挟持部を前記台板側に付勢する付勢部材とを含み、前記台板及び／又は挟持部材は、前記台板及び／又は挟持部材に形成された枢結部を、相対移動させて連結するための移動可能部を、前記台板の載置面より低く凹設され、前記移動可能部は、付勢部材の台板より上方に突き出た領域を台板に向けて押し下げて且つ付勢部材の前記突き出た領域より下方の領域に向けて台板及び挟持部材を相対移動させて連結するために、枢結部を通過させるための開口部を凹設され、前記挟持部材は、挟持部材を付勢する付勢部に対応した付勢部材固定凹部を形成され、前記付勢部材固定凹部は、付勢部材の付勢部の上昇角度に対応して、前記相対移動の始点側から終点側に向けて徐々に深くなるように形成されているので、組み立てが容易で、その厚みが薄い、紙挟みを提供することができる。
請求項３の発明によれば、前記付勢部材は、台板より上方に突き出た領域において付勢部を構成する屈曲又はわん曲部と、前記屈曲又はわん曲部の両端に延設された固定部とを備えた弾力性を有する線材により構成され、固定部は、前記相対移動の終点側において台板に形成された、付勢部材用支持部により固定され、前記付勢部材用支持部は、挟持部材及び／又は台板を相対移動させるときに付勢部材の移動を阻止するように形成されているので、付勢部材の台板より上方に突き出た付勢部を台板に向けて押し下げて且つ挟持部材を挟持部側より開用押圧部側に向けて相対移動させて台板に挟持部材を連結させることができる。
請求項４の発明によれば、前記挟持部材は、台板の枢軸部を枢支するための枢結部を構成する軸受部を裏面側に形成され、前記台板は、載置面より低い位置に形成された枢軸部を有する枢結部を形成され、挟持部材の裏面に設けられた軸受部を通過させて、軸受部を枢軸部の下方に位置させて連結するための、前記台板の載置面より低く形成された第１開口部を有する移動可能部を形成され、前記挟持部材の軸受部は、前記台板の移動可能部に対応して、前記台板の第１開口部から枢軸部の下方に位置させて、枢軸部に連結されるように、前記台板の枢軸部を通過させるための第２開口部を形成されているので、挟持部材の枢結部と台板の枢結部とを、容易に連結させることができる。
請求項５の発明によれば、前記台板は、載置面より低い位置に形成された断面円形の枢軸部を有する枢結部を形成され、且つ前記挟持部材は、枢結部を構成する、前記台板の枢軸部に対応する断面半円弧状の軸受部を下面に突設され、前記台板は、前記枢軸部の下方に、挟持部材の前記軸受部を収容するための断面半円弧状の間隙を形成され、前記間隙は、移動可能部に続いて、前記台板の載置面より低く凹設されているので、挟持部材の枢結部と台板の枢結部とを、容易に連結させることができる。
【０００８】
この発明の上述の目的、その他の目的、特徴及び利点は、図を参照して行う以下の発明を実施するための最良の形態の説明から一層明らかとなろう。
【図面の簡単な説明】
【０００９】
【図１】この発明にかかる紙挟みの一例を示す斜視図解図である。
【図２】図１に示す紙挟みの要部を示す分解斜視図解図である。
【図３】図１に示す紙挟みの要部を示す分解斜視図解図である。
【図４】図１に示す紙挟みにおいて挟持部材を閉じた状態及び紙を挟んだ状態を示す要部図解図であり、（Ａ）は挟持部材を閉じた状態を示す図であり、（Ｂ）は挟持部材を開いた状態を示す図であり、（Ｃ）は紙を挟んだ状態を示す図である。
【図５】図１に示す紙挟みに用いられる台板及び付勢部材を示す平面図解図である。
【図６】挟持部材の裏面の斜視図解図である。
【図７】挟持部材の裏面の底面図解図である。
【図８】図１に示す紙挟みを組み立てられる状態を示す断面図解図である。
【図９】図１に示す紙挟みを組み立てられる状態を示す断面図解図である。
【図１０】図１に示す紙挟みを組み立てられる状態を示す断面図解図であり、（Ａ）は枢軸部に軸受部を嵌め込む直前の図であり、（Ｂ）は枢軸部に軸受部を半分嵌め込んだ図であり、（Ｃ）は枢軸部に軸受部を嵌め込んだ図である。
【発明を実施するための形態】
【００１０】
図１はこの発明にかかる紙挟みの一例を示す斜視図解図であり、図２及び３はその紙挟みの要部を示す分解斜視図解図であり、図４はその紙挟みにおいて挟持部材を閉じた状態及び紙を挟んだ状態を示す要部図解図であり、（Ａ）は挟持部材を閉じた状態を示す図であり、（Ｂ）は挟持部材を開いた状態を示す図であり、（Ｃ）は紙を挟んだ状態を示す図である。
図１に示す紙挟み１０は、たとえば合成樹脂からなる矩形板状の台板２０を含む。台板２０は、直線状の左端縁並びに左端縁と平行な右端縁及び左端縁（右端縁）と直交する上端縁（向こう側端縁）並びに上端縁と平行な下端縁とを備え、表面に、用箋等の被挟持体Ｓを載置する載置面を有する。
【００１１】
前記台板２０の載置面側に回動可能に、たとえば合成樹脂からなる挟持部材５０が支持されている。
挟持部材５０は、平面視略方形の挟持部材本体の一方側（手前側）部分に被挟持体Ｓを台板２０との間に挟む挟持部５２が形成され、平面視略方形の挟持部材本体の他方側（向こう側）部分に回動させるときに押すための開用押圧部５４が形成されている。挟持部材５０は、前記挟持部５２が前記台板２０に対して開閉すなわち接離できるように、中間部分の枢結部２２により台板２０に回動可能に連結されている。
前記挟持部材５０は、付勢部材９０により、前記挟持部５２を前記台板２０側に付勢される。
【００１２】
台板２０の上端部（向こう側部）には、図２に示すように、台板２０に挟持部材５０を枢結する枢結部２２を構成する２つの挟持部材の支持用の第１枢軸部２４ａと第２枢軸部２４ｂとが、左右に間隔を隔てて形成される。
これらの第１枢軸部２４ａ及び第２枢軸部２４ｂは、挟持部材５０を回動可能に支持するためのものである。これらの第１枢軸部２４ａ及び第２枢軸部２４ｂは、それぞれ、略円柱状に形成される。
第１枢軸部２４ａ及び第２枢軸部２４ｂを有する枢結部２２は、載置面より低い位置に形成されている。
台板２０は、挟持部材５０の裏面に設けられた第１軸受部５８ａ及び第２軸受部５８ｂを通過させて、第１軸受部５８ａ及び第２軸受部５８ｂを第１枢軸部２４ａ及び第２枢軸部２４ｂの下方に位置させて挟持部材５０を連結するための第１開口部２６を有する移動可能部２８を形成されている。
第１開口部２６は、台板２０の載置面と略々同じ高さ位置ないしは台板２０の載置面より低い位置に形成されている。
前記移動可能部２８は、前記挟持部材５０に形成された枢結部２２を、挟持部５２側より開用押圧部５４側に向けて相対移動させて連結するために、台板２０の載置面と略同一の高さにあるないしは台板２０の載置面より低い位置にある第１開口部２６に続いて前記台板２０の載置面より低く凹設されている。
この実施の形態においては、第１枢軸部２４ａは、台板２０の幅方向にのびてその両端を枢軸支持部３０ａ及び枢軸支持部３０ｂで支持され、第２枢軸部２４ｂは、台板２０の幅方向にのびてその両端を枢軸支持部３２ａ及び枢軸支持部３２ｂで支持される。
移動可能部２８は、第１枢軸部２４ａ及び第２枢軸部２４ｂの下面より下方の領域において、第１開口部２６に続く第１枢軸部２４ａ及び第２枢軸部２４ｂと対向する領域を、斜めに切り欠かれている。そして、移動可能部２８は、第１開口部２６から入り込んだ挟持部材５０の第１軸受部５８ａ及び第２軸受部５８ｂを、台板２０の載置面側から斜め下方、すなわち第１枢軸部２４ａ及び第２枢軸部２４ｂの下部に向けて滑り込み易くなるように構成されている。
【００１３】
そして、第１枢軸部２４ａ及び第２枢軸部２４ｂは、台板２０の載置面より下方にその下部が位置し、第１枢軸部２４ａ及び第２枢軸部２４ｂの下方に、移動可能部２８に続いて断面円弧状の間隙を形成されている。
前記台板２０は、前記第１枢軸部２４ａ及び第２枢軸部２４ｂの下方に、挟持部材５０の前記第１軸受部５８ａ及び第２軸受部５８ｂを収容するための断面半円弧状の間隙を形成され、前記間隙は、移動可能部２８に続いて、移動可能部２８と比して前記台板２０の載置面より一段と低く凹設されている。
【００１４】
さらに、台板２０は、第１枢軸部２４ａ及び第２枢軸部２４ｂの外側の周辺に、付勢部材用支持部４０を形成される。これらの付勢部材用支持部４０は、挟持部材５０及び／又は台板２０を相対移動させるときに付勢部材９０の移動を阻止するとともに、付勢部材用支持部４０を台板２０の固定位置に固定するために形成されたものである。
付勢部材用支持部４０は、第１枢軸部２４ａ及び第２枢軸部２４ｂの手前側において、台板２０の幅方向にのびるブロック状の第１付勢部材用支持部４２を有する。
第１枢軸部２４ａ及び第２枢軸部２４ｂの手前側と第１付勢部材用支持部４２の向こう側との間には、台板２０の幅方向にのびる、付勢部材９０を装入するための空間を形成されている。
また、付勢部材用支持部４０は、枢軸支持部３０ａの左横において、手前側から向こう側にのびる溝状に形成された第２付勢部材用支持部４４ａと、さらに、枢軸支持部３２ａの右横において、手前側から向こう側にのびる溝状に形成された第３付勢部材用支持部４４ｂとを有する。
第２付勢部材用支持部４４ａ及び第３付勢部材用支持部４４ｂは、前記第１枢軸部２４ａ及び第２枢軸部２４ｂと第１付勢部材用支持部４２との間の空間に連続して、手前側から向こう側にのびる、付勢部材９０を装入するための空間を有する。
さらに、付勢部材用支持部４０は、左側の枢軸支持部３０ａの手前側端に形成された第４付勢部材用支持部４６ａと、右側の枢軸支持部３０ｂの手前側端に形成された第５付勢部材用支持部４６ｂとを有する。
第４付勢部材用支持部４６ａ及び第５付勢部材用支持部４６ｂは、第１枢軸部２４ａ及び第２枢軸部２４ｂと第１付勢部材用支持部４２との間の空間と連続し、且つ、第２付勢部材用支持部４４ａ及び第３付勢部材用支持部４４ｂの空間にも連続して、台板２０の幅方向にのび、付勢部材９０を装入するための空間を有する。
この実施の形態においては、第４付勢部材用支持部４６ａ及び第５付勢部材用支持部４６ｂは、手前側に向いて開口する断面半円弧状の凹条であり、該凹条は台板２０の幅方向にのびる。
付勢部材用支持部４０を構成する前記空間は、略々同じ高さ位置に形成されており、台板２０の載置面と略々同じ高さかあるいは載置面より低い位置に形成されている。
【００１５】
前記挟持部材５０は、枢結部２２を構成する、前記台板２０の第１枢軸部２４ａ及び第２枢軸部２４ｂに対応する断面半円弧状の第１軸受部５８ａ及び第２軸受部５８ｂを、挟持部材本体の下面（裏面）に突設されている。そして、前記台板２０は、前記したように、前記第１枢軸部２４ａ及び第２枢軸部２４ｂの下方に、挟持部材５０の前記第１軸受部５８ａ及び第２軸受部５８ｂを収容するための断面半円弧状の間隙を形成され、前記間隙は、移動可能部２８に続いて、前記台板２０の載置面より低く凹設され、第１枢軸部２４ａ及び第２枢軸部２４ｂの下面の下方に形成されている。
【００１６】
台板２０の第１枢軸部２４ａ及び第２枢軸部２４ｂを枢支するための枢結部２２を構成する前記第１軸受部５８ａ及び第２軸受部５８ｂは、前記台板２０において斜め下方にのびる移動可能部２８に対応して、挟持部５２側より開用押圧部５４側に向けて斜め下方にのびる傾斜面を裏面に形成されている。台板２０の第１枢軸部２４ａと第２枢軸部２４ｂとは左右対称であり、それに対応して、第１枢軸部２４ａに連結される第１軸受部５８ａと第２枢軸部２４ｂに連結される第２軸受部５８ｂとは対称に形成されている。
第１軸受部５８ａ及び第２軸受部５８ｂは、前記台板２０の第１開口部２６から移動可能部２８を経て移動させ第１枢軸部２４ａ及び第２枢軸部２４ｂの下方に位置させて、第１枢軸部２４ａ及び第２枢軸部２４ｂに連結されるように、前記台板２０の第１枢軸部２４ａ及び第２枢軸部２４ｂを通過させるための第２開口部６０ａ及び第２開口部６０ｂを形成されている。第１枢軸部２４ａに連結される左側の第１軸受部５８ａの第２開口部６０ａと第２枢軸部２４ｂに連結される右側の第２軸受部５８ｂの第２開口部６０ｂとは、同一の形状を備えている。
【００１７】
第１軸受部５８ａの第２開口部６０ａと第２軸受部５８ｂの第２開口部６０ｂとは、同一の形状を備えており、第１枢軸部２４ａと第２枢軸部２４ｂとにそれぞれ嵌合する断面半円弧状の軸当接面６６に続いて形成された上壁部６２と下壁部６４とを有している。
上壁部６２の奥側端６２ａと下壁部６４の奥側端６４ａとの間隔は、第１枢軸部２４ａ及び第２枢軸部２４ｂの直径より若干短く構成されている。
上壁部６２の入り口端６２ｂと下壁部６４の入り口端６４ｂとの間隔は、第１枢軸部２４ａ及び第２枢軸部２４ｂの直径と略々同一に構成されている。
上壁部６２の入り口端６２ｂと上壁部６２の奥側端６２ａとを結んだ面及び下壁部６４の入り口端６４ｂと下壁部６４の奥側端６４ａとを結んだ面は、奥側から外側（入り口側）に向かうに従って拡がり、その面を第１枢軸部２４ａ及び第２枢軸部２４ｂの外面形状に沿って円弧状に形成されている。
【００１８】
挟持部材５０は、開用押圧部５４の先端と第２開口部６０ａ及び第２開口部６０ｂの上壁部６２の入り口端６２ｂとの間の長さは、挟持部材５０を斜め下方に向けて下降させて第１枢軸部２４ａ及び第２枢軸部２４ｂと第１軸受部５８ａ及び第２軸受部５８ｂとを嵌め込めるようにするために適する長さとしている。
又、挟持部材５０における開用押圧部５４の先端と第１軸受部５８ａ及び第２軸受部５８ｂにおける第１枢軸部２４ａ及び第２枢軸部２４ｂを嵌合する軸当接面６６との間の長さは、第１枢軸部２４ａ及び第２枢軸部２４ｂを中心に回動させて挟持部材５０を付勢部材９０の付勢力に抗して押し下げて、挟持部５２を開くために適する長さとしている。
【００１９】
挟持部材５０の第２開口部６０ａ及び第２開口部６０ｂは、挟持部材５０の第１軸受部５８ａ及び第２軸受部５８ｂを第１枢軸部２４ａ及び第２枢軸部２４ｂの下方の間隙に至らしめて第１枢軸部２４ａ及び第２枢軸部２４ｂに第１軸受部５８ａ及び第２軸受部５８ｂを嵌め込んだとき、第２開口部６０ａ及び第２開口部６０ｂの下壁部６４の入り口端６４ｂ及び第２開口部６０ａ及び第２開口部６０ｂの下壁部６４の奥側端６４ａを第１枢軸部２４ａ及び第２枢軸部２４ｂの中心を通る垂線よりも向こう側に至るように構成されている。
第１軸受部５８ａ及び第２軸受部５８ｂは、軸当接面６６によって第１枢軸部２４ａ及び第２枢軸部２４ｂの外面を、向こう側を除き４分の３程度覆うように構成されている。
【００２０】
前記挟持部材５０は、挟持部材５０を付勢する付勢部材９０の屈曲又はわん曲部９２に対応した付勢部材固定凹部７０を、挟持部材本体の裏面に形成されている。
前記付勢部材固定凹部７０は、底面視Ｕ字形であり、付勢部材９０の屈曲又はわん曲部９２の平面視Ｕ字形の形状に対応する。そして、付勢部材固定凹部７０は、付勢部材９０の屈曲又はわん曲部９２の付勢部材用支持部４０の空間よりの上昇角度に対応して、挟持部材５０の前記相対移動の始点側から終点側に向けて、凹みの深さが徐々に深くなるように形成されている。
【００２１】
前記付勢部材９０は、台板２０より上方に突き出た領域において付勢部を構成する屈曲又はわん曲部９２と、前記屈曲又はわん曲部９２の両端に延設された第１固定部９４ａ並びに第１固定部９４ｂ及び第１固定部９４ａの端に延設された第２固定部９６ａ並びに第１固定部９４ｂの端に延設された第２固定部９６ｂとを備えた弾力性を有する金属製線材により構成される。
付勢部材９０は、直線状の弾力性を有する金属製線材を屈曲ないしはわん曲させて、一体成形されている。
第１固定部９４ａ及び第１固定部９４ｂは、前記相対移動の終点側において屈曲又はわん曲部９２の両端から左右にのびるようにすなわち台板２０の幅方向にのびるように形成された、付勢部材用支持部４０に対応する直線状である。第１固定部９４ａ及び第１固定部９４ｂは、付勢部材用支持部４０の第１付勢部材用支持部４２の向こう側の空間に装入され、付勢部材用支持部４０の第１付勢部材用支持部４２の向こう側面に当接させて台板２０に固定される。更に、左側にのびる第１固定部９４ａは、第４付勢部材用支持部４６ａに装入され、第４付勢部材用支持部４６ａの手前側に当接され、右側にのびる第１固定部９４ｂは、第５付勢部材用支持部４６ｂに装入され、第５付勢部材用支持部４６ｂの手前側に当接され、台板２０に固定される。
第２固定部９６ａは、屈曲又はわん曲部９２ののびる方向と平行な方向で第１固定部９４ａの端部より向こう側に向けてのびるように構成され、第２固定部９６ｂは、屈曲又はわん曲部９２ののびる方向と平行な方向で第１固定部９４ｂの端部より向こう側に向けてのびるように構成される。第１固定部９４ａの端部よりのびた左側の第２固定部９６ａは、第２付勢部材用支持部４４ａに嵌め込まれ、第１固定部９４ｂの端部よりのびた右側の第２固定部９６ｂは、右側の第３付勢部材用支持部４４ｂに嵌め込まれて、台板２０に固定される。
第１固定部９４ａ並びに第１固定部９４ｂ及び第２固定部９６ａ並びに第２固定部９６ｂは、略同一の高さ位置において、付勢部材用支持部４０の空間に装入され、台板２０の載置面と略同一かそれより低い位置において台板２０に固定される。
【００２２】
さらに、台板２０には、付勢部材用支持部４０の第１付勢部材用支持部４２の手前において、略３角柱状の２つの滑り止部４８ａ及び滑り止部４８ｂが上下に間隔を隔てて形成される。滑り止部４８ａ及び滑り止部４８ｂは、滑り止部４８ａと滑り止部４８ｂとの間に挟持部材５０の挟持部５２の先端が嵌まり込み、この紙挟み１０で挟持した書類などを台板２０から滑りにくくするためのものである。
【００２３】
台板２０は、左端部、上端左側部及び上端右側部に、段差部をそれぞれ形成してもよい。これらの段差部は、載置された被挟持体Ｓが台板２０の外側にはみださないように、被挟持体Ｓの左端部及び上端部の移動を台板２０に対して規制するためのものである。
【００２４】
次に、前記実施の形態にかかる紙挟み１０の組み立て方法及び使用方法について、主として図８ないし１０に基づいて説明する。
【００２５】
付勢部材９０は、第１固定部９４ａ及び第１固定部９４ｂが第４付勢部材用支持部４６ａ並びに第５付勢部材用支持部４６ｂ及び第１付勢部材用支持部４２で支持され、第２固定部９６ａ及び第２固定部９６ｂが、台板２０の載置面と略同一もしくは低い位置において第２付勢部材用支持部４４ａ及び第３付勢部材用支持部４４ｂで支持される。
それによって、付勢部材９０は、屈曲又はわん曲部９２が台板２０の載置面（表面）から斜め上方向に突出するように、台板２０に配置される。
【００２６】
まず、前述した挟持部材５０の付勢部材固定凹部７０に付勢部材９０の屈曲又はわん曲部９２の上端部（向こう側端部）を配置した状態で、挟持部材５０を、台板２０の載置面側において手前側から向こう側に台板２０の中央線（台板２０の左端縁と右端縁との間における中央線）と平行に移動させる。
そして、挟持部材５０の第１軸受部５８ａ及び第２軸受部５８ｂを第１開口部２６より斜め下方に向けて挿入して向こう側に移動させ、挟持部材１２の上壁部６２及び下壁部６４を、対応する第１枢軸部２４ａ及び第２枢軸部２４ｂの手前側に位置させる。そして、第１軸受部５８ａ及び第２軸受部５８ｂを移動可能部２８に移動させ、更に、第１軸受部５８ａ及び第２軸受部５８ｂを第１枢軸部２４ａ及び第２枢軸部２４ｂの下部の間隙に移動させる。
第１枢軸部２４ａ及び第２枢軸部２４ｂは、第２開口部６０ａ及び第２開口部６０ｂを構成する上壁部６２の奥側端６２ａと下壁部６４の奥側端６４ａとの間の隙間を通って強制的に嵌め込まれるため、挟持部材５０を装着した以後の脱落は規制されることとなる。
【００２７】
このようにして挟持部材５０を台板２０に装着した状態では、付勢部材９０は、その屈曲又はわん曲部９２が初期の軸線位置（図８参照）から向こう側に強制的に変位させられた状態、すなわち、ねじり変形させられた状態となる。従って、挟持部材５０は、付勢部材９０が初期の無負荷の形状に戻ろうとする復元力を受けて、挟持部材５０の挟持部５２が台板２０の載置面に常に接する状態に保たれ、同時に、挟持部材５０の表面も台板２０と略水平となる位置に保たれる。
【００２８】
この紙挟み１０は、図４に示すように、台板２０に対して挟持部材５０の挟持部５２を付勢部材９０の付勢力で閉じるように形成されている。
この紙挟み１０は、挟持部材５０の開用押圧部５４を押圧することによって、台板２０に対して挟持部材５０の挟持部５２を付勢部材９０の付勢力に抗して開くことができる。
【００２９】
なお、上述の紙挟み１０では、台板２０、挟持部材５０及び付勢部材９０などが特定の形状を有するが、この発明では、それらは他の形状に形成されてもよい。
【００３０】
また、上述の紙挟み１０では、付勢部材として金属からなるトーションばねが用いられているが、この発明では、合成樹脂などの弾性材料からなるばねなどが用いられてもよく、その形状も変更されてもよい。
【００３１】
さらに、上述の紙挟み１０は、台板２０及び挟持部材５０における台板２０と挟持部材５０とを枢結するための枢結部２２などの構造も、他の構造に変更されてもよい。
【符号の説明】
【００３２】
１０  紙挟み
２０  台板
２２  枢結部
２４ａ  第１枢軸部
２４ｂ  第２枢軸部
２６  第１開口部
２８  移動可能部
３０ａ，３０ｂ，３２ａ，３２ｂ  枢軸支持部
４０  付勢部材用支持部
４２  第１付勢部材用支持部
４４ａ  第２付勢部材用支持部
４４ｂ  第３付勢部材用支持部
４６ａ  第４付勢部材用支持部
４６ｂ  第５付勢部材用支持部
４８ａ，４８ｂ  滑り止部
５０  挟持部材
５２  挟持部
５４  開用押圧部
５８ａ  第１軸受部
５８ｂ  第２軸受部
６０ａ，６０ｂ  第２開口部
６２  上壁部
６２ａ  上壁部の奥側端
６２ｂ  上壁部の入り口端
６４  下壁部
６４ａ  下壁部の奥側端
６４ｂ  下壁部の入り口端
６６  軸当接面
７０  付勢部材固定凹部
９０  付勢部材
９２  屈曲又はわん曲部
９４ａ，９４ｂ  第１固定部
９６ａ，９６ｂ  第２固定部
Ｓ  被挟持体
【図１】
0005383766.tif 000002
【図２】
0005383766.tif 000003
【図３】
0005383766.tif 000004
【図４】
0005383766.tif 000005
【図５】
0005383766.tif 000006
【図６】
0005383766.tif 000007
【図７】
0005383766.tif 000008
【図８】
0005383766.tif 000009
【図９】
0005383766.tif 000010
【図１０】
0005383766.tif 000011